(57)【要約】【課題】  防振性を高められより確実に防振することができ、発振器の特性の低下を防止できる防振構造を提供すること。【解決手段】  筐体１０と、筐体１０に搭載されるベース１１と、振動を発する発振器２０を中央に保持し、端部４３に開口部４５を有し、ベース１１に配設される保持部４０とにおいて、防振構造６０は、開口部４５に配設され、筐体１０の外部から保持部４０に伝達した振動に対して発振器２０を防振する。  防振構造６０は、開口部４５に挿入され、端部４３を挟み込むことで外部から保持部４０に伝達した振動に対して発振器２０を防振する防振部材６１と、開口部４５に挿入される防振部材６１と開口部４５とに嵌り込み、振動による端部４３と防振部材６１との緩衝からそれぞれを保護する保護材６７と、保持部４０をベース１１に固定すると同時に、防振部材６１の一部６５と保護材６７とを端部４３に密着させる固定構造６９とを具備している。【選択図】      図２
2010283081.tif 000002
【特許請求の範囲】
【請求項１】
筐体と、前記筐体の内部に搭載される基盤となるベースと、振動を発する発振器を中央に保持し、端部に開口部を有し、前記ベースに配設される保持部とにおいて、前記開口部に配設され、前記筐体の外部から前記筐体と前記ベースとを通じて前記保持部に伝達した振動に対して前記発振器を防振する防振構造であって、
前記開口部に挿入され、前記端部を前記表面側と前記裏面側とから挟み込むことで前記外部から前記筐体と前記ベースとを通じて前記保持部に伝達した前記振動に対して前記発振器を防振する防振部材と、
前記開口部に挿入される前記防振部材と前記開口部とに嵌り込み、前記振動による前記端部と前記防振部材との緩衝からそれぞれを保護する保護材と、
前記発振器を保持する前記保持部を前記ベースに固定すると同時に、前記防振部材の一部と前記保護材とを前記端部に密着させるように前記防振部材と前記保護材とを前記端部に配設する固定構造と、
を具備することを特徴とする防振構造。
【発明の詳細な説明】
【技術分野】
【０００１】
本発明は、無線機器に搭載される振動に弱い発振器を防振する防振構造に関する。
【背景技術】
【０００２】
一般的に図示しない無線機器の筐体の内部には、無線機器の筐体内部の基盤となる図示しないベースが搭載される。
【０００３】
このベースには、図４に示すように、信号を出力する発振器１２０と、発振器１２０を保持する金属製の保持部１４０と、筐体の外部から筐体とベースとを通じて保持部１４０に伝達した振動に対して発振器１２０を防振する（無線機器が外部から受けた振動が筐体とベースと保持部１４０とを通じて発振器１２０に伝達することを防止する）防振構造１６０とが配設されている。
【０００４】
発振器１２０は、振動に弱い。
【０００５】
保持部１４０は、保持部１４０の中央に凹部１４１を有している。また保持部１４０は、凹部１４１の両端の端部１４３にて、端部１４３の厚み方向に貫通している開口部１４５を有している。
【０００６】
防振構造１６０は、開口部１４５に配設される。  
図４に示すように防振構造１６０は、開口部１４５に嵌め込まれ、且つ端部１４３の表面１４３ｃと裏面１４３ｄとに密着して端部１４３を表面１４３ｃと裏面１４３ｄとから挟み込むことで外部からの振動を吸収し、これにより筐体の外部から筐体とベースとを通じて保持部１４０に伝達した振動に対して発振器１２０を防振する防振部材１６１と、発振器１２０を保持する保持部１４０をベースに固定すると同時に、防振部材１６１を端部１４３に密着させるように防振部材１６１を端部１４３に配設する固定構造１６９とを有している。
【０００７】
次に防振部材１６１について説明する。  
防振部材１６１は、先端（凸部）１６３ａが開口部１４５に嵌り込み、固定構造１６９によって裏面１４３ｄに密着する凸形状の凸型防振部材１６３と、開口部１４５から突出する先端１６３ａに嵌まり込み、固定構造１６９によって表面１４３ｃに密着し、凸型防振部材１６３と共に端部１４３を挟み込むリング形状のリング型防振部材１６５とを有している。
【０００８】
凸型防振部材１６３とリング型防振部材１６５とは、軟性体である。
【０００９】
凸型防振部材１６３とリング型防振部材１６５とは、高さ方向に貫通している中空部材である。凸型防振部材１６３の開口部１６３ｂには、後述するネジ１６９ａが螺合する軸部１６３ｃが予め配設されている。軸部１６３ｃには、ネジ１６９ａが螺合するための開口部１６４が配設されている。
【００１０】
先端１６３ａの外径は、開口部１４５の直径と略同一である。そのため先端１６３ａは、開口部１４５の内周面１４５ａに当接する。
【００１１】
固定構造１６９は、軸部１６３ｃに螺合し、保持部１４０をベースにネジ止め固定するネジ１６９ａと、ワッシャ１６９ｂとを有している。
【発明の概要】
【発明が解決しようとする課題】
【００１２】
上述したように端部１４３（より詳細には、内周面１４５ａ）と凸型防振部材１６３（より詳細には、先端１６３ａ）とは当接している。そのため振動が筐体の外部から筐体とベースとを通じて保持部１４０に伝達する度に、端部１４３と凸型防振部材１６３とは繰り返し緩衝してしまう。これにより軟性体である凸型防振部材１６３に亀裂が生じ、防振構造１６０の防振性能が低下してしまう虞が生じる。よって振動が発振器１２０に伝達してしまい、発振器１２０の特性が低下してしまう虞が生じる。
【００１３】
そのため本発明は、上記事情に鑑み、防振性を高められより確実に防振することができ、発振器の特性の低下を防止できる防振構造を提供することを目的とする。
【課題を解決するための手段】
【００１４】
本発明は目的を達成するために、筐体と、前記筐体の内部に搭載される基盤となるベースと、振動を発する発振器を中央に保持し、端部に開口部を有し、前記ベースに配設される保持部とにおいて、前記開口部に配設され、前記筐体の外部から前記筐体と前記ベースとを通じて前記保持部に伝達した振動に対して前記発振器を防振する防振構造であって、前記開口部に挿入され、前記端部を前記表面側と前記裏面側とから挟み込むことで前記外部から前記筐体と前記ベースとを通じて前記保持部に伝達した前記振動に対して前記発振器を防振する防振部材と、前記開口部に挿入される前記防振部材と前記開口部とに嵌り込み、前記振動による前記端部と前記防振部材との緩衝からそれぞれを保護する保護材と、前記発振器を保持する前記保持部を前記ベースに固定すると同時に、前記防振部材の一部と前記保護材とを前記端部に密着させるように前記防振部材と前記保護材とを前記端部に配設する固定構造と、を具備することを特徴とする防振構造を提供する。
【００１５】
また本発明は目的を達成するために、前記防振部材は、先端が前記開口部に挿入され、前記裏面側に配設される凸形状の凸型防振部材と、前記開口部から突出する前記先端に嵌まり込み、前記固定構造によって前記表面に密着し、前記凸型防振部材と共に前記端部を挟み込むリング形状のリング型防振部材とを有していることを特徴とする上記に記載の防振構造を提供する。
【００１６】
また本発明は目的を達成するために、前記保護材は、高さ方向に前記先端が前記保護材を貫通し、前記保護材が前記凸型防振部材に載置可能な中空の凸形状を有することを特徴とする上記に記載の防振構造を提供する。
【００１７】
また本発明は目的を達成するために、前記保護材が前記凸型防振部材に載置された状態で、前記凸型防振部材が前記開口部に配設される際、前記先端が嵌め込まれている前記保護材の先端は、前記開口部に嵌まり込むことで前記先端と前記開口部との間に配設され、前記凸型防振部材の基端に載置されている前記保護材の基端は、前記裏面と前記凸型防振部材の基端との間に配設され、前記保護材は、前記裏面と前記開口部と、前記凸型防振部材との間に位置し、前記裏面と前記開口部の内周面と、前記凸型防振部材との当接を防止することを特徴とする上記に記載の防振構造を提供する。
【００１８】
また本発明は目的を達成するために、前記固定構造は、前記保持部を前記ベースにネジ止め固定すると同時に、前記リング型防振部材を前記表面に向けて押圧して前記リング型防振部材を前記表面に密着させ、前記端部を前記先端に嵌め込まれている前記保護材に向けて押圧し前記端部と前記保護材とを密着させるネジとを有していることを特徴とする上記に記載の防振構造を提供する。
【００１９】
また本発明は目的を達成するために、前記凸型防振部材は、高さ方向に貫通している中空部材であり、前記凸型防振部材の中空部には、前記ネジが前記保持部を前記ベースに固定すると同時に前記防振部材を前記端部にネジ止めする際に、前記ネジによる締め付けによって前記リング型防振部材がつぶれることを防止する前記軸部が配設されていることを特徴とする上記に記載の防振構造を提供する。
【発明の効果】
【００２０】
本発明によれば、防振性を高められより確実に防振することができ、発振器の特性の低下を防止できる防振構造を提供することができる。
【図面の簡単な説明】
【００２１】
【図１】図１（Ａ）は、防振構造が配設され、発振器を保持している保持部がベースに配設されている状態を示す斜視図である。図１（Ｂ）は、図１（Ａ）に示すベースを底面側から見た斜視図である。
【図２】図２は、防振構造が配設され、発振器を保持している保持部の斜視図と、防振構造の分解斜視図とである。
【図３】図３は、開口部に配設された防振構造の断面図である。
【図４】図４は、従来の防振構造が配設され、発振器を保持している従来の保持部の斜視図と、従来の防振構造の分解斜視図とである。
【発明を実施するための形態】
【００２２】
以下、図１乃至図３を参照して本発明の実施形態について詳細に説明する。  
図１に示すように、無線機器の筐体１０の内部には、無線機器の筐体１０内部の基盤となるベース１１が搭載される。
【００２３】
このベース１１には、振動を発する発振器２０と、発振器２０を保持する金属製の保持部４０と、筐体１０の外部から筐体１０とベース１１とを通じて保持部４０に伝達した振動に対して発振器２０を防振する（無線機器が外部から受けた振動が筐体１０とベース１１と保持部４０とを通じて発振器２０に伝達することを防止する）防振構造６０と、各種の設定を制御する制御部７０と、電子機器８０とが配設されている。
【００２４】
発振器２０を含む筐体１０は、搬送可能な可搬系である。
【００２５】
発振器２０は、振動に弱い。この振動には、例えば衝撃と震動とも含まれる。発振器２０は、例えば２つ配設されている。発振器２０は、それぞれ異なる周波数帯の信号を出力する。
【００２６】
保持部４０は、剛性が高い金属製の板部材である。図２に示すように保持部４０は、保持部４０の中央に凹部４１を有している。つまり保持部４０は、一枚の板部材の中央が凹形状に窪むことによって形成されている。凹部４１には、例えば２個の発振器２０が図示しないネジなどによって固定されている。保持部４０は、発振器２０をベース１１に取り付ける取付金具である。
【００２７】
また保持部４０は、凹部４１の両端の端部４３（保持部４０の側部）にて、端部４３の厚み方向に貫通している開口部４５を有している。開口部４５は、一方の端部４３ａの長手方向においてこの端部４３ａの例えば両端４３１ａにそれぞれ配設され（つまり一方の端部４３ａに例えば２個配設され）、また他方の端部４３ｂの長手方向においてこの端部４３ｂの例えば両端４３１ｂにそれぞれ配設され（つまり他方の端部４３に例えば２個配設され）ている。このように開口部４５は、保持部４０にあわせて例えば４個配設されている。
【００２８】
ベース１１には、図１に示すように開口部１１ａが配設されている。発振器２０を有する保持部４０は、端部４３がこの開口部１１ａの縁に引っ掛かるように開口部１１ａに嵌め込まれる。
【００２９】
上述したように無線機器の筐体１０と、筐体１０の内部に搭載されるベース１１と、振動を発する発振器２０を中央（凹部４１）に保持し、端部４３に開口部４５を有し、ベース１１に配設される保持部４０とにおいて、防振構造６０は、開口部４５に配設され、筐体１０の外部から筐体１０とベース１１とを通じて保持部４０に伝達した振動に対して発振器２０を防振（無線機器が外部から受けた振動が筐体１０とベース１１と保持部４０とを通じて発振器２０に伝達することを防止）する。防振構造６０は、１個の開口部４５に１個配設される。
【００３０】
図２に示すように防振構造６０は、開口部４５に挿入され、端部４３を表面４３ｃ側と裏面４３ｄ側とから挟み込むことで外部からの振動を吸収し、これにより筐体１０の外部から筐体１０とベース１１とを通じて保持部４０に伝達した振動に対して発振器２０を防振する防振部材６１と、開口部４５に挿入される防振部材６１と開口部４５とに嵌まり込み、振動による端部４３と防振部材６１との緩衝からそれぞれを保護する保護材６７と、発振器２０を保持する保持部４０をベース１１に固定すると同時に、防振部材６１の一部と保護材６７とを端部４３に密着させるように、防振部材６１と保護材６７とを端部４３に配設する固定構造６９とを有している。
【００３１】
次に図２と図３とを参照して防振部材６１について説明する。  
防振部材６１は、先端（凸部）６３ａが開口部４５に挿入され、裏面４３ｄ側に配設される凸形状の凸型防振部材６３と、開口部４５から突出する先端６３ａに嵌まり込み、固定構造６９によって表面４３ｃに密着し、凸型防振部材６３と共に端部４３を挟み込むリング形状のリング型防振部材６５とを有している。リング型防振部材６５は、固定構造６９によって端部４３に密着させるように端部４３に配設される防振部材６１の一部である。
【００３２】
上述したように凸型防振部材６３は裏面４３ｄ側に配設され、リング型防振部材６５は固定構造６９によって表面４３ｃに密着し、凸型防振部材６３とリング型防振部材６５とは端部４３を挟み込む。これにより凸型防振部材６３とリング型防振部材６５とは、上述したように外部からの振動を吸収し、筐体１０の外部から筐体１０とベース１１とを通じて保持部４０に伝達した振動に対して発振器２０を防振する。このように凸型防振部材６３とリング型防振部材６５とは、防振することで、振動による発振器２０への負荷を軽減している。
【００３３】
なお先端６３ａは、開口部４５に挿入される防振部材６１の挿入部分となる。
【００３４】
また凸型防振部材６３とリング型防振部材６５とは、例えばシリコンのようなジェル状の軟性体である。またリング型防振部材６５は、ジェル状のリング部材でもある。
【００３５】
凸型防振部材６３とリング型防振部材６５とは、高さ方向に貫通している中空部材である。凸型防振部材６３の中空部である開口部６３ｂには、後述するネジ６９ａが螺合する軸部６３ｃが予め配設されている。軸部６３ｃには、ネジ６９ａが螺合するための開口部６４が配設されている。
【００３６】
次に保護材６７について説明する。  
保護材６７は、例えばプラスチックやナイロンで形成されている。またこの保護材６７は、高さ方向に先端６３ａが保護材６７を貫通し、保護材６７が凸型防振部材６３（より詳細には凸型防振部材６３の基端６３ｄ）に載置可能な中空の凸形状を有している。この中空部は、開口部６７ｄである。
【００３７】
保護材６７が凸型防振部材６３に載置されると、保護材６７の先端（凸部）６７ａには先端６３ａが嵌め込まれ、保護材６７の基端６７ｂは凸型防振部材６３の基端６３ｄに載置する。
【００３８】
また保護材６７が凸型防振部材６３に載置された状態で、凸型防振部材６３が前記開口部４５に配設される際、図３に示すように先端６３ａが嵌め込まれている先端６７ａは、開口部４５に嵌まり込むことで先端６３ａと開口部４５（より詳細には開口部４５の内周面４５ａ）との間に配設され、基端６３ｄに載置されている基端６７ｂは、裏面４３ｄと基端６３ｄとの間に配設される。
【００３９】
これにより保護材６７は、裏面４３ｄと開口部４５と、凸型防振部材６３との間に位置し、裏面４３ｄと内周面４５ａと、凸型防振部材６３との当接を防止する。この内周面４５ａには、開口部４５のエッジ４５ｂが含まれる。またこの凸型防振部材６３には、先端６３ａと、基端６３ｄと、先端６３ａと基端６３ｄとによって形成するエッジ６３ｅとが含まれる。
【００４０】
これにより振動が保持部４０に伝達した際に、保護材６７は、端部４３（主に裏面４３ｄと内周面４５ａ）と凸型防振部材６３との緩衝を防止し、緩衝から端部４３と凸型防振部材６３とを保護し、緩衝によって亀裂がエッジ６３ｅを中心に凸型防振部材６３（主に基端６３ｄ）に生じることを防止する。このように保護材６７は、裏面４３ｄと内周面４５ａと、凸型防振部材６３との当接を防止し、裏面４３ｄと内周面４５ａと、凸型防振部材６３との緩衝を防止する緩衝防止材として機能する。
【００４１】
よって保護材６７は、緩衝によって亀裂が凸型防振部材６３に生じることによって、防振構造６０の防振性能が低下してしまうことを防止する。また保護材６７は、緩衝によって亀裂が凸型防振部材６３に生じることを防止し、これにより凸型防振部材６３とリング型防振部材６５とが常に端部４３を挟み込め、凸型防振部材６３とリング型防振部材６５とが常に固定構造６９によって端部４３に密着するように配設されるために、無線機器の性能の著しい低下を防止する。
【００４２】
次に図３を参照して防振部材６１と保護材６７との形状について詳細に説明する。  
先端６３ａの外径は、保護材６７の内径とリング型防振部材６５の内径と略同一である。先端６７ａの外径は、開口部４５の直径と略同一である。そのため先端６３ａは、保護材６７（先端６７ａ）によって内周面４５ａに当接せず、保護材６７の内周面６７ｃに当接する。
【００４３】
先端６７ａの高さは、先端６７ａがリング型防振部材６５に当接しないように、端部４３の厚みよりも低い。
【００４４】
また先端６３ａの高さは、基端６７ｂの厚みと端部４３の厚みとリング型防振部材６５の高さとの和とよりも低い。より詳細には先端６３ａは、表面４３ｃから突出し、リング型防振部材６５の開口部６５ａ内に位置する長さを有している。
【００４５】
先端６３ａが保護材６７の開口部６７ｄに挿入された時、凸型防振部材６３には保護材６７が載置（積層）され、保護材６７には端部４３が載置（積層）され、先端６３ａは開口部６５ａに挿入され、端部４３（表面４３ｃ）にはリング型防振部材６５が載置（積層）される。このとき図３に示すように軸部６３ｃの一端は先端６３ａ側の開口部６３ｂから突出し且つリング型防振部材６５（開口部６５ａ）から突出せず、軸部６３ｃの他端は基端６３ｄ側の開口部６３ｂから突出しない。なお軸部６３ｃの一端において、軸部６３ｃの一端とリング型防振部材６５とは同一平面となる。
【００４６】
固定構造６９は、軸部６３ｃに螺合し、保持部４０をベース１１にネジ止め固定するネジ６９ａと、ワッシャ６９ｂとを有している。固定構造６９は、１個の防振構造６０に１個配設される。
【００４７】
ワッシャ６９ｂは、開口部６９ｃを有しており、リング型防振部材６５に配設される。ネジ６９ａは、ワッシャ６９ｂ側から開口部６９ｃと開口部６４とを挿通する。このときネジ６９ａは、軸部６３ｃに螺合し、さらに保持部４０をベース１１にネジ止め固定する。
【００４８】
またネジ６９ａは、保持部４０をベース１１にネジ止め固定すると同時に、保護材６７を裏面４３ｄに密着させ、リング型防振部材６５を表面４３ｃに密着させ、防振部材６１と保護材６７とを一体化させて端部４３に配設する。言い換えると、ネジ６９ａは、保持部４０をベース１１にネジ止め固定すると同時に、リング型防振部材６５を表面４３ｃに向けて押圧してリング型防振部材６５を表面４３ｃに密着させ、端部４３を先端６３ａに嵌め込まれている保護材６７に向けて押圧し端部４３と保護材６７とを密着させる。
【００４９】
このようにネジ６９ａは、防振部材６１の一部（リング型防振部材６５）と保護材６７とを端部４３により強固に密着させるように、防振部材６１と保護材６７とを端部４３に配設する。
【００５０】
なおネジ６９ａが保持部４０をベース１１に固定すると同時に防振部材６１を端部４３にネジ止めする際に、軸部６３ｃは、ネジ６９ａによる締め付けによってリング型防振部材６５がつぶれることを防止する。
【００５１】
ネジ６９ａは例えば真鍮であり、ワッシャ６９ｂは例えばアルミである。
【００５２】
次に本実施形態における動作方法について説明する。  
保持部４０は、凹部４１にて発振器２０を保持する。先端６３ａは、保護材６７（開口部６７ｄ）に嵌まり込み、内周面６７ｃに当接する。また基端６７ｂ、基端６３ｄに当接する。そして、保護材６７は、凸型防振部材６３に載置される。
【００５３】
保護材６７が載置されている凸型防振部材６３は、開口部１１ａの縁に配置される。保持部４０は、端部４３がこの開口部１１ａの縁に引っ掛かるように開口部１１ａに嵌め込まれる。
【００５４】
このとき、端部４３は、保護材６７に載置され、先端６３ａは開口部４５を挿通し開口部４５から突出する。またこのとき先端６３ａは、保護材６７によって内周面４５ａに当接しない。また先端６７ａは、開口部４５に嵌り込み、内周面４５ａに当接する。また基端６７ｂは、裏面４５ｄに当接する。
【００５５】
次に先端６３ａには、リング型防振部材６５が嵌まり込む。これにより凸型防振部材６３とリング型防振部材６５とは端部４３を挟み込み、保護材６７は、裏面４３ｄと内周面４５ａと、凸型防振部材６３との間に配設され、緩衝防止材として機能する。
【００５６】
また軸部６３ｃはリング型防振部材６５から突出せず、リング型防振部材６５にはワッシャ６９ｂが配設される。ネジ６９ａは、ワッシャ６９ｂ側から開口部６９ｃを通じて開口部６４を挿通する。
【００５７】
このときネジ６９ａは、軸部６３ｃに螺合しつつ、凸型防振部材６３を抜けて、保持部４０をベース１１にネジ止め固定する。さらにネジ６９ａは、リング型防振部材６５を表面４３ｃに密着させ、保護材６７を裏面４３ｄに密着させ、防振部材６１と保護材６７とを一体化させて端部４３に配設する。このようにネジ６９ａは、防振部材６１の一部（リング型防振部材６５）と保護材６７とを端部４３に密着させるように、防振部材６１と保護材６７とを端部４３に配設する。
【００５８】
この状態ではベース１１は、図示しない無線機器に搭載される。  
無線機器が外部から振動を受けると、振動は筐体１０の外部から筐体１０とベース１１と保持部４０と通じて発振器２０に伝達する。しかしながら本実施形態では、凸型防振部材６３とリング型防振部材６５とが端部４３を挟み込み、凸型防振部材６３とリング型防振部材６５とが固定構造６９によって端部４３により強固に密着するように配設されている。よって凸型防振部材６３とリング型防振部材６５とは、外部からの振動を吸収し、筐体１０の外部から筐体１０とベース１１とを通じて保持部４０に伝達した振動に対して発振器２０を防振する。このように凸型防振部材６３とリング型防振部材６５とは、発振器２０を防振することで、振動による発振器２０への負荷を軽減している。
【００５９】
またこのとき保護材６７は、開口部４５と凸型防振部材６３とに嵌まり込み、裏面４３ｄと開口部４５と、凸型防振部材６３との間に位置する。詳細には、先端６３ａが内周面４５ａ，６７ｃに当接し、基端６３ｄが基端６７ｂと裏面４３ｄとに当接する。そして保護材は、裏面４３ｄと内周面４５ａと、凸型防振部材６３との当接を防止する。
【００６０】
そのため振動が防振構造６０に伝達した際に、保護材６７は、裏面４３ｄと内周面４５ａと、凸型防振部材６３との緩衝を防止する。これにより保護材６７は、緩衝によって亀裂がエッジ６３ｅを中心に凸型防振部材６３に生じることを防止する。
【００６１】
よって凸型防振部材６３には亀裂が生じず、凸型防振部材６３が破損しないために、凸型防振部材６３とリング型防振部材６５とが常に端部４３を挟み込む状態が維持される。これにより凸型防振部材６３とリング型防振部材６５とは、常に外部からの振動を吸収し、筐体１０の外部から筐体１０とベース１１とを通じて保持部４０に伝達した振動に対して常に発振器２０を防振する。
【００６２】
このように保護材６７は、防振構造６０の防振性能が低下してしまうことを防止する。また保護材６７は、緩衝によって亀裂が凸型防振部材６３に生じることを防止し、凸型防振部材６３とリング型防振部材６５とを常に端部４３に挟み込ませる。よって発振器２０への振動の伝達が防止され（振動による発振器２０への負荷を軽減され）、発振器２０の特性の低下が防止され、無線機器の性能の著しい低下が防止される。
【００６３】
このように本実施形態では、保護材６７を開口部４５と凸型防振部材６３とに嵌め込み、裏面４３ｄと開口部４５と、凸型防振部材６３と間に保護材６７を配設させる。
【００６４】
これにより本実施形態では、振動が防振構造６０に伝達した際に、裏面４３ｄと内周面４５ａと、凸型防振部材６３との緩衝を防止することができ、緩衝から裏面４３ｄと内周面４５ａと、凸型防振部材６３とを保護でき、緩衝によって亀裂が凸型防振部材６３に生じることを防止ことができる。
【００６５】
このように本実施形態では、保護材６７によって、防振構造６０の防振性能が低下してしまうことを常に防止することができ、防振性を高められより確実に防振することができる。
【００６６】
また本実施形態では、保護材６７によって防振構造６０の防振性能の低下を防止でき、凸型防振部材６３とリング型防振部材６５とによって端部４３を挟み込ませることを常にでき、固定構造６９によって防振部材６１を端部４３に常に密着させることができる。よって本実施形態では、発振器２０への振動の伝達を防止でき（振動による発振器２０への負荷を軽減することができ）、発振器２０の特性の低下を防止することができる。
【００６７】
また本実施形態では、保護材６７によって、緩衝によって亀裂が凸型防振部材６３に生じることを防止でき、凸型防振部材６３とリング型防振部材６５とによって常に端部４３を挟み込ませることを常にできるために、無線機器の性能の著しい低下を防止することができる。
【００６８】
なお本実施形態において、保持部４０が保持する発振器２０の数は、特に限定はされない。
【００６９】
また本実施形態では、開口部４５の配設位置と数は、特に限定されない。
【００７０】
また本実施形態では、防振構造６０は、４個の開口部４５が配設されているため、４個配設されているが、これに限定する必要はなく、開口部４５の数に対応して配設される数は変化してもよい。
【００７１】
また本実施形態では、固定構造６９は、防振構造６０と同様に、４個の防振構造６０が配設されているため、４個配設されているが、これに限定する必要はなく、防振構造６０の数に対応して配設される数は変化してもよい。
【００７２】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００７３】
１０…筐体、１１…ベース、１１ａ…開口部、２０…発振器、４０…保持部、４１…凹部、４３…端部、４３ｃ…表面、４３ｄ…裏面、４５…開口部、４５ａ…内周面、４５ｂ…エッジ、６０…防振構造、６１…防振部材、６３…凸型防振部材、６３ａ…先端、６３ｂ…開口部、６３ｃ…軸部、６３ｄ…基端、６３ｅ…エッジ、６４…開口部、６５…リング型防振部材、６５ａ…開口部、６７…保護材、６７ａ…先端、６７ｂ…基端、６７ｃ…内周面、６７ｄ…開口部、６９…固定構造、６９ａ…ネジ、６９ｂ…ワッシャ、６９ｃ…開口部、７０…制御部、８０…電子機器。
【図１】
2010283081.tif 000003
【図２】
2010283081.tif 000004
【図３】
2010283081.tif 000005
【図４】
2010283081.tif 000006